(57)【要約】【課題】包装されている吸収性物品の品質を維持できるパッケージを提供する。【解決手段】実施形態にかかるパッケージ１０は、おむつ１００を包装する袋状の基層１１と、光を散乱させ少なくとも可視光に耐光性を備えた被覆層１２を有している。被覆層１２は、マット材を含んでいる。【選択図】図１
2020196482.tif 000002
【特許請求の範囲】
【請求項１】
吸収性物品を包装する袋状の基層と、
前記基層に設けられ、光を散乱させ少なくとも可視光に耐光性を備えた被覆層と、を有し、
前記被覆層は、マット材を含んでいる、パッケージ。
【請求項２】
前記吸収性物品は、印刷によって形成された表示部を備え、
前記被覆層は、前記表示部を覆う位置に形成されている、請求項１に記載のパッケージ。
【請求項３】
前記被覆層は、紫外光に耐光性を備えている、請求項１又は２に記載のパッケージ。
【請求項４】
前記被覆層は、前記基層の外側に設けられている、請求項１乃至３のいずれか１項に記載のパッケージ。
【請求項５】
前記被覆層は、前記基層の内側に設けられている、請求項１乃至４のいずれか１項に記載のパッケージ。
【発明の詳細な説明】
【技術分野】
【０００１】
本発明は、パッケージに関する。
【背景技術】
【０００２】
従来から、外装体によって吸収性物品が包装されている。特許文献１において、吸収性物品と、その吸収性物品を包装している外装体には、使用者が吸収性物品の仕様を確認するための情報が表示されている。
【先行技術文献】
【特許文献】
【０００３】
【特許文献１】特開２０１１−１１１１６５号公報
【発明の概要】
【発明が解決しようとする課題】
【０００４】
ところで、吸収性物品はパッケージに包装されているものの、パッケージを透過した光が吸収性物品に吸収される。このため、光による吸収性物品の劣化を抑制して、吸収性物品の品質を維持することが好ましい。
【０００５】
本発明の目的は、包装されている吸収性物品の品質を維持できるパッケージを提供することである。
【課題を解決するための手段】
【０００６】
本発明のパッケージは、吸収性物品を包装する袋状の基層と、基層に設けられ、光を散乱させ少なくとも可視光に耐光性を備えた被覆層と、を有し、被覆層は、マット材を含んでいる。
【発明の効果】
【０００７】
本発明のパッケージによれば、包装されている吸収性物品の品質を維持できる。
【図面の簡単な説明】
【０００８】
【図１】実施形態にかかるパッケージ１０の斜視図である。
【図２】パッケージ１０の左側面の部分の断面図である。
【図３】実施形態の変形例にかかるパッケージ２０の斜視図である。
【発明を実施するための形態】
【０００９】
実施形態にかかるパッケージ１０について図１及び図２を参照しながら説明する。図１は、実施形態にかかるパッケージ１０の斜視図である。図２は、パッケージ１０の左側面の部分の断面図である。
【００１０】
パッケージ１０には、図１に示すように、複数のおむつ１００（吸収性物品）が包装されている。尚、パッケージ１０によって包装する吸収性物品は、おむつ１００を想定しているが、ナプキン等としてもよい。パッケージ１０を構成する基層１１、被覆層１２及び表示層１３について説明する。
【００１１】
基層１１は、袋状に形成され、おむつ１００を包装する層である。基層１１は、複数のおむつ１００を収納する。基層１１は、例えば、ポリアミド、ポリエステル、ポリブチレンテレフタレート又はポリエチレンテレフタレート等からなる。
【００１２】
被覆層１２は、基層１１の外表面側に設けられ、マット印刷によって光を散乱させる凹凸が形成され紫外光及び可視光等に耐光性を備えた層である。被覆層１２は、おむつ１００の印刷領域である表示部１００ａと重なる部分に設けられている。具体的には、被覆層１２は、基層１１の右側面１１ｂ、左側面１１ｃ及び天面１１ｄに設けられている。右側面１１ｂ、左側面１１ｃ及び天面１１ｄは、おむつ１００の表示部１００ａを覆う位置に相当する。おむつ１００は、両面が右側面１１ｂと左側面１１ｃの間に挟まれるように配置され、かつ、折り目が天面１１ｄに対向した状態で、パッケージ１０に包装されている。被覆層１２は、基層１１の外表面側に加えて、基層１１の内表面側に設けてもよい。被覆層１２は、樹脂１２ｍに粒状のマット剤１２ｎが含有されて構成されている。樹脂１２ｍは、例えば、アクリル系樹脂、エポキシ系樹脂、ウレタン系樹脂、ポリオレフィン系樹脂、フッ素系樹脂又はフェノキシ系樹脂等からなる。マット剤１２ｎは、例えば、シリカ、アルミナ、酸化カルシウム、炭酸カルシウム、硫酸カルシウム、ケイ酸カルシウム又はカーボンブラック等からなる。
【００１３】
表示層１３は、例えば、基層１１の右側面１１ｂの下方に設けられ、おむつ１００に関する情報がインクによって印刷された層である。情報は、例えば、パッケージ１０に包装されているおむつ１００のサイズや枚数である。表示層１３は、例えば、カーボンブラック、ジアミン、ポリオール、硬化剤及び有機溶媒等を含有してなるインク組成物が、グラビア印刷法等によって、基層１１の外表面側に塗布されて形成されている。有機溶媒は、例えば、トルエン等からなり、印刷後に揮発する。硬化剤は、例えば、イソシアネート等からなる。
【００１４】
実施形態の変形例にかかるパッケージ２０について図３を参照しながら説明する。図３は、実施形態の変形例にかかるパッケージ２０の斜視図である。
【００１５】
パッケージ２０の構成において、前述したパッケージ１０等と同様の構成は、同一の符号を付して説明を省略する。被覆層２１は、基層１１の正面１１ａ、右側面１１ｂ及び左側面１１ｃに設けられている。おむつ２００は、表示層２３にも示すようにＳサイズであって、前述したＭサイズのおむつ１００よりも小さい。基層１１の正面１１ａ、右側面１１ｂ及び左側面１１ｃは、おむつ２００の表示部２００ａを覆う位置に相当する。おむつ２００は、例えば、両面が右側面１１ｂと左側面１１ｃの間に挟まれるように配置され、かつ、折り目が正面１１ａに対向した状態で、パッケージ２０に包装されている。
【００１６】
実施形態にかかるパッケージ１０の作用効果について説明する。
【００１７】
パッケージ１０は、おむつ１００を包装する袋状の基層１１と、光を散乱させ少なくとも可視光に耐光性を備えた被覆層１２を有している。被覆層１２は、マット材を含んでいる。このような構成によれば、被覆層１２が形成されていない場合と比較して、パッケージ１０を透過しておむつ１００に照射される少なくとも可視光を弱めることができる。すなわち、外部からパッケージ１０に照射される光をマット層によって散乱させて減衰させることによって、おむつ１００に照射される光を減衰させることができる。したがって、光の照射に起因するおむつ１００の劣化を抑制できる。特に、例えば、太陽光が直接的に照射される店舗の外にパッケージ１０を陳列して販売するような場合に好適である。この結果、パッケージ１０に包装されているおむつ１００の品質を維持できる。
【００１８】
おむつ１００は、印刷によって形成された表示部１００ａを備えている。被覆層１２は、表示部１００ａを覆う位置に形成されている。このような構成によれば、外部からパッケージ１０に照射される光を被覆層１２によって遮光して、表示部１００ａの劣化を抑制できる。すなわち、表示部１００ａの絵柄が色あせたり、尿の量を報知するインジケーターが不活性化したりすることを抑制できる。おむつ２００についても、おむつ１００と同様の効果を奏する。
【００１９】
被覆層１２は、紫外光に耐光性を備えている。このような構成によれば、被覆層１２が設けられていない場合と比較して、パッケージ１０を透過しておむつ１００に照射される紫外光を抑制できる。紫外光は、可視光よりもエネルギーが大きく、おむつ１００を劣化させ易い。
【００２０】
被覆層１２は、基層１１の外側に設けられている。このような構成によれば、被覆層１２が基層１１の外側に設けられていない場合と比較して、基層１１やおむつ１００に入射する前の光を十分に弱めることができる。
【００２１】
被覆層１２は、基層１１の内側に設けられている。このような構成によれば、被覆層１２が基層１１の内側に設けられていない場合と比較して、おむつ１００に入射する前の光を十分に弱めることができる。
【００２２】
本発明を実施するに当たり、上記の実施形態は、一例であり、具体的な態様を種々に変更して実施できる。
【符号の説明】
【００２３】
１０…パッケージ、１１…基層、１１ａ…正面、１１ｂ…右側面、１１ｃ…左側面、
１１ｄ…天面、１２…被覆層、１２ｍ…樹脂、１２ｎ…マット剤、１３…表示層、
２０…パッケージ、２１…被覆層、２３…表示層、１００…おむつ（吸収性物品）、
１００ａ…表示部、２００…おむつ（吸収性物品）、２００ａ…表示部
【図１】
2020196482.tif 000003
【図２】
2020196482.tif 000004
【図３】
2020196482.tif 000005